(57)【要約】【課題】手間を掛けずに型崩れすることなく組み立てることが可能な梱包材を提供する。【解決手段】梱包材１０のシート３５には、収納部１７を形成するための第１折れ罫線４８Ａ〜４８Ｄと、溝部１８を形成するための第２折れ罫線４９Ａ〜４９Ｈが設けられている。第１折れ罫線４８Ａと第２折れ罫線４９Ａとは、同一直線上に設けられている。また、第１折れ罫線４８Ｄと第２折れ罫線４９Ｅも、同一直線上に設けられている。これにより、第１折れ罫線４８Ａ、４８Ｄで形成される収納部側壁１９の上辺２５と、第２折れ罫線４９Ａ、４９Ｅで形成される溝部側壁２３の上辺２６Ａとが、シート３５を梱包材１０に組み立てた場合に同一直線上に設けられる。【選択図】図３
2018070212.tif 000002
【特許請求の範囲】
【請求項１】
複数の折れ罫線が設けられたシートを前記折れ罫線にしたがって折り曲げて中空の箱形に組み立ててなる製品の梱包材において、
前記製品が収納される凹状の収納部と、
前記収納部よりも幅が狭い凹状で、前記収納部の一部から延設された溝部とを備え、
前記収納部を形成するための前記折れ罫線である第１折れ罫線のうちの少なくとも１本と、前記溝部を形成するための前記折れ罫線である第２折れ罫線のうちの少なくとも１本とが、同一直線上に設けられている梱包材。
【請求項２】
前記溝部は、前記収納部を挟んだ位置に設けられた第１溝部と第２溝部の少なくとも２つの溝部を含む請求項１に記載の梱包材。
【請求項３】
前記収納部および前記溝部が設けられた、前記シートの一部で構成される平板側から平面視した場合、前記第１溝部と前記第２溝部は同じ幅である請求項２に記載の梱包材。
【請求項４】
前記第１溝部と前記第２溝部の幅は、前記収納部の幅の半分以下である請求項２または３に記載の梱包材。
【請求項５】
前記収納部および前記溝部が設けられた、前記シートの一部で構成される平板側から平面視した場合、前記第１溝部と前記第２溝部は、前記収納部の中心を対称点として点対称の位置に配されている請求項２ないし４のいずれか１項に記載の梱包材。
【請求項６】
前記収納部および前記溝部が設けられた、前記シートの一部で構成される平板は上板を構成し、
同一直線上に設けられる前記第１折れ罫線のうちの少なくとも１本は、前記収納部の側壁を構成する辺のうちの上辺を形成するための線であり、
同一直線上に設けられる前記第２折れ罫線のうちの少なくとも１本は、前記溝部の側壁を構成する辺のうちの上辺を形成するための線である請求項１ないし５のいずれか１項に記載の梱包材。
【請求項７】
前記収納部および前記溝部が設けられた、前記シートの一部で構成される平板は上板を構成し、
前記上板と対向する底板の上に、前記収納部の底板および前記溝部の底板が配置される多重床構造をしている請求項１ないし６のいずれか１項に記載の梱包材。
【請求項８】
前記収納部の底板は、前記溝部の底板よりも高い位置にあり、前記収納部と前記溝部の間に段差が設けられている請求項７に記載の梱包材。
【請求項９】
前記収納部および前記溝部が設けられた、前記シートの一部で構成される平板側から平面視した場合、前記収納部は矩形状をしている請求項１ないし８のいずれか１項に記載の梱包材。
【発明の詳細な説明】
【技術分野】
【０００１】
本発明は、梱包材に関する。
【背景技術】
【０００２】
従来、製品の梱包材として、厚紙等のシートを折り曲げて組み立てられる中空の箱形をしたものが知られている（例えば特許文献１参照）。こうした梱包材には、シートの所定箇所に折れ罫線や切り込みを設けることで、製品が収納される凹状の収納部や、収納部から延設された凹状の溝部（特許文献１では凹部１１ａ、１１ｂと記載）といった立体的な部位が形成される。
【０００３】
特許文献１に記載の梱包材を、収納部および溝部が設けられた上板側から平面視した場合、収納部は矩形状をしており、中央に配されている。溝部は収納部よりも幅が狭い凹状で、かつ収納部を挟んだ位置に２つ設けられている。２つの溝部は、収納部の対向する２つの側壁の中央から梱包材の端部に向かって直線的に延びている。
【０００４】
溝部は、収納部から製品を取り出す際に製品を把持する指等が挿入可能な挿入溝として機能する。また、梱包材は、文字通り製品を梱包する役割の他に、輸送時等の衝撃から製品を守る緩衝材の役割も求められるが、溝部はその側壁で中空の梱包材がつぶれないように支える梁としても機能する。
【先行技術文献】
【特許文献】
【０００５】
【特許文献１】特許第３０５４０８０号
【発明の概要】
【発明が解決しようとする課題】
【０００６】
前述のように、特許文献１に記載の梱包材では、溝部が収納部の側壁の中央に設けられている。この場合、収納部を形成するための折れ罫線と、溝部を形成するための折れ罫線とは、別々の位置に設ける必要がある。このため折れ罫線の本数が比較的多くなる。折れ罫線の本数が多いと、シートから梱包材への組み立てに手間が掛かる。
【０００７】
加えて、折れ罫線の数が多いと構造が複雑になり、折れ罫線以外の折り曲げる必要のない箇所にまで負荷が掛かって皺や破れが生じやすく、型崩れしやすい。型崩れは梱包材の外観の仕上がりを損なうばかりか、梱包材の緩衝材としての性能を低下させる原因となる。
【０００８】
本発明は、手間を掛けずに型崩れすることなく組み立てることが可能な梱包材を提供することを目的とする。
【課題を解決するための手段】
【０００９】
上記課題を解決するために、本発明の梱包材は、複数の折れ罫線が設けられたシートを折れ罫線にしたがって折り曲げて中空の箱形に組み立ててなる製品の梱包材において、製品が収納される凹状の収納部と、収納部よりも幅が狭い凹状で、収納部の一部から延設された溝部とを備え、収納部を形成するための折れ罫線である第１折れ罫線のうちの少なくとも１本と、溝部を形成するための折れ罫線である第２折れ罫線のうちの少なくとも１本とが、同一直線上に設けられている。
【００１０】
溝部は、収納部を挟んだ位置に設けられた第１溝部と第２溝部の少なくとも２つの溝部を含むことが好ましい。
【００１１】
収納部および溝部が設けられた、シートの一部で構成される平板側から平面視した場合、第１溝部と第２溝部は同じ幅であることが好ましい。また、第１溝部と第２溝部の幅は、収納部の幅の半分以下であることが好ましい。
【００１２】
収納部および溝部が設けられた、シートの一部で構成される平板側から平面視した場合、第１溝部と第２溝部は、収納部の中心を対称点として点対称の位置に配されていることが好ましい。
【００１３】
収納部および溝部が設けられた、シートの一部で構成される平板は上板を構成し、同一直線上に設けられる第１折れ罫線のうちの少なくとも１本は、収納部の側壁を構成する辺のうちの上辺を形成するための線であり、同一直線上に設けられる第２折れ罫線のうちの少なくとも１本は、溝部の側壁を構成する辺のうちの上辺を形成するための線であることが好ましい。
【００１４】
収納部および溝部が設けられた、シートの一部で構成される平板は上板を構成し、上板と対向する底板の上に、収納部の底板および溝部の底板が配置される多重床構造をしていることが好ましい。この場合、収納部の底板は、溝部の底板よりも高い位置にあり、収納部と溝部の間に段差が設けられていることが好ましい。
【００１５】
収納部および溝部が設けられた、シートの一部で構成される平板側から平面視した場合、収納部は矩形状をしていることが好ましい。
【発明の効果】
【００１６】
本発明によれば、収納部を形成するための第１折れ罫線のうちの少なくとも１本と、溝部を形成するための第２折れ罫線のうちの少なくとも１本とを、同一直線上に設けるので、折れ罫線の本数が減り単純な構造となる。したがって、手間を掛けずに型崩れすることなく組み立てることが可能な梱包材を提供することができる。
【図面の簡単な説明】
【００１７】
【図１】梱包材の斜視図である。
【図２】梱包材の平面図である。
【図３】シートの平面図である。
【図４】シートの拡大平面図である。
【図５】比較例の梱包材の斜視図である。
【図６】比較例のシートの平面図である。
【図７】第２実施形態の梱包材の平面図である。
【図８】第２実施形態の比較例の梱包材の平面図である。
【図９】梱包材の変形例を示す図である。
【図１０】梱包材の変形例を示す図である。
【図１１】梱包材の変形例を示す図である。
【発明を実施するための形態】
【００１８】
[第１実施形態]
図１において、梱包材１０は、製品１１の梱包に使用される。梱包材１０は、製品１１が収納された状態で、外装用の外箱（図示せず）に収容される。梱包材１０は、外箱の外部より加わる衝撃から製品１１を保護する緩衝材として機能する。製品１１は例えばメモリカードであり、メモリカードは透明なプラスチックケースに収納されている。
【００１９】
梱包材１０は、１枚のシート３５（図３参照）を折り曲げることによって、中空な箱形に組み立てられる。梱包材１０は、上板１２、底板１３、第１側板１４、第２側板１５、および内側側板１６を備えている。上板１２は平板に相当し、製品１１が収納される凹状の収納部１７と、収納部１７から梱包材１０の端部までＹ方向に延設された凹状の溝部１８とが設けられている。溝部１８は、収納部１７よりも幅が狭く、収納部１７から製品１１を取り出す際に製品１１を把持する指等が挿入可能な挿入溝として機能する。なお、ここでは説明の便宜上、収納部１７および溝部１８が設けられた側を梱包材１０の「上」と定義し、反対側を「底」または「下」と定義する。
【００２０】
底板１３は凹凸のない平板であり、ＸＹ平面と平行な平面を有する。第１側板１４、第２側板１５、および内側側板１６は、ＸＹ平面と直交するＹＺ平面と平行な面を有する凹凸のない平板である。第１側板１４、第２側板１５、および内側側板１６は、Ｚ方向にシート３５が折り曲げられて形成される。上板１２と底板１３は対向する位置関係にある。また、第１側板１４と第２側板１５および内側側板１６も対向する位置関係にある。ＸＺ平面と平行な梱包材１０の側面は開放されている。
【００２１】
収納部１７は、側壁（以下、収納部側壁）１９、底板（以下、収納部底板）２０、連通部２１、およびストッパ部２２を有する。収納部側壁１９は、Ｘ方向において対向する位置に２つあり、シート３５がＺ方向に折り曲げられて形成される。収納部側壁１９は、製品１１の側面と対面して、製品１１のＸ方向への移動を規制する。収納部底板２０は底板１３と平行に形成される。
【００２２】
収納部１７のＸ方向に沿う両端は、約半分が溝部１８と連通する連通部２１となっており、残りの部分にストッパ部２２が設けられている。これら２組の連通部２１およびストッパ部２２は、収納部１７において対角に配置されている。すなわち、一方の側の連通部２１と他方の側のストッパ部２２が対面し、他方の側の連通部２１と一方の側のストッパ部２２が対面している。連通部２１は溝部１８の端部であり、収納部１７と溝部１８との接続部分である。一方、ストッパ部２２は溝部１８が設けられていない部分であり、収納部側壁１９と同様に、製品１１の側面と対面して、製品１１のＹ方向への移動を規制する。
【００２３】
収納部１７のＸＹＺ方向の各サイズ（Ｘ方向の幅、Ｙ方向の長さ、Ｚ方向の深さ）は、製品１１のサイズと同じか、または僅かに大きい。このため、点線矢印で示すように製品１１を収納部１７に収納した場合、製品１１と収納部１７の間には殆ど隙間がないか、または僅かな隙間が空けられる。
【００２４】
溝部１８は、収納部１７を挟んだ位置に２つ設けられている。２つの連通部２１が収納部１７の対角位置にあるため、２つの溝部１８のＸ方向の位置はずれている。２つの溝部１８のうちの一方が第１溝部、他方が第２溝部に相当する。溝部１８は、側壁（以下、溝部側壁）２３、および底板（以下、溝部底板）２４を有する。溝部側壁２３は、収納部側壁１９と同じく、Ｘ方向において対向する位置に２つあり、シート３５がＺ方向に折り曲げられて形成される。溝部底板２４は、収納部底板２０と同じく、底板１３と平行に形成される。
【００２５】
収納部底板２０と溝部底板２４は、底板１３の上に配置されており、梱包材１０は多重床構造をしている。底板１３と溝部底板２４とは、殆ど隙間なく近接している。このため、梱包材１０に上板１２側から負荷が掛った場合、溝部１８は、溝部底板２４が底板１３と接触し、溝部側壁２３で中空の梱包材１０がつぶれないように支える梁として機能する。
【００２６】
収納部側壁１９を構成する辺のうちの上辺２５と、収納部側壁１９と同一平面上に形成された、ストッパ部２２と反対側の溝部側壁２３を構成する辺のうちの上辺２６Ａとは、同一直線上に設けられている。一方、収納部側壁１９の下辺（収納部底板２０の辺）２７と、溝部側壁２３の下辺（溝部底板２４の辺）２８とは同一直線上になく、下辺２７のほうが下辺２８よりも高くなっている。つまり、収納部底板２０は、溝部底板２４よりも高い位置にあり、収納部１７と溝部１８の間には段差Δが設けられている。
【００２７】
図２は、梱包材１０を上板１２側から平面視した梱包材１０の平面図である。図２において、上板１２の中心と収納部１７の中心は、点Ｃで一致している。また、収納部１７を挟んだ位置に設けられた２つの溝部１８は、Ｘ方向の幅Ｄ１、並びにＹ方向の長さＬ１が同じである。さらに、収納部１７は、直方体状の製品１１を収納するために矩形状をしている。
【００２８】
収納部１７の中心である点Ｃを回転軸として、梱包材１０をＺ軸まわりに１８０°回転させた場合、回転前と回転後とで、収納部１７を挟んだ位置に設けられた２つの溝部１８の位置関係が一致する。すなわち、これら２つの溝部１８は、点Ｃを対称点として点対称の位置に配されている。
【００２９】
梱包材１０は、図３に示すシート３５を組み立ててなる。シート３５は、例えば段ボール等の厚紙であり、梱包材１０の各部を形成するための複数の折れ罫線や切り込みが設けられている。なお、図３において、シート３５の各部の符号に付された括弧書きの符号は、シート３５を梱包材１０に組み立てた場合に、シート３５の各部と対応する梱包材１０の各部の符号である。
【００３０】
シート３５は、上板部３６、底板部３７、第１側板部３８、第２側板部３９、および内側側板部４０を備えている。シート３５を梱包材１０に組み立てた場合、上板部３６は上板１２、底板部３７は底板１３、第１側板部３８は第１側板１４、第２側板部３９は第２側板１５、内側側板部４０は内側側板１６となる。上板部３６と第１側板部３８、上板部３６と第２側板部３９、底板部３７と第１側板部３８、および底板部３７と内側側板部４０の各々の境界には、折れ罫線４１、４２、４３、４４が設けられている。これらはいずれも谷折り線（破線で示す）である。
【００３１】
第２側板部３９は、中央部に差込片４５を有している。差込片４５には折れ罫線４６が設けられている。一方、内側側板部４０の中央部には切り込み４７が設けられている。切り込み４７は、Ｙ方向に沿って直線状に形成されている。差込片４５が切り込み４７に差し込まれて係止されることで、図１に示す梱包材１０の組み立て状態が保持される。
【００３２】
上板部３６には、収納部１７を形成するための折れ罫線である第１折れ罫線４８Ａ、４８Ｂ、４８Ｃ、４８Ｄと、溝部１８を形成するための折れ罫線である第２折れ罫線４９Ａ、４９Ｂ、４９Ｃ、４９Ｄ、４９Ｅ、４９Ｆ、４９Ｇ、４９Ｈと、収納部１７と溝部１８を隔てるための切り込み５０とが設けられる。切り込み５０は、Ｘ方向に沿って直線状に形成されており、第１折れ罫線４８Ａから第１折れ罫線４８Ｄにかけて設けられている。なお、切り込み４７、５０は、不必要な皺や破れを生じさせないために、多少の遊びを設けて切り込まれていることが望ましい。
【００３３】
第１折れ罫線４８Ａ、４８Ｄは、破線で示す谷折り線である。一方、第１折れ罫線４８Ｂ、４８Ｃは、一点鎖線で示す山折り線である。同様に、第２折れ罫線４９Ａ、４９Ｄ、４９Ｅ、４９Ｈは谷折り線、第２折れ罫線４９Ｂ、４９Ｃ、４９Ｆ、４９Ｇは山折り線である。
【００３４】
第１折れ罫線４８Ａ、４８Ｄは、収納部側壁１９の上辺２５を形成するための線である。一方、第１折れ罫線４８Ｂ、４８Ｃは、収納部側壁１９の下辺２７を形成するための線である。第１折れ罫線４８Ａ、４８Ｂと切り込み５０で囲まれる部分５１Ａ、並びに第１折れ罫線４８Ｃ、４８Ｄと切り込み５０で囲まれる部分５１Ｂは、収納部側壁１９となる。また、第１折れ罫線４８Ｂ、４８Ｃと切り込み５０で囲まれる部分５１Ｃは、収納部底板２０となる。
【００３５】
第２折れ罫線４９Ａ、４９Ｅは、溝部側壁２３の上辺２６Ａを形成するための線である。第２折れ罫線４９Ｄ、４９Ｈは、溝部側壁２３の上辺２６Ｂを形成するための線である。一方、第２折れ罫線４９Ｂ、４９Ｃ、４９Ｆ、４９Ｇは、溝部側壁２３の下辺２８を形成するための線である。第２折れ罫線４９Ａ、４９Ｂと切り込み５０、および第２折れ罫線４９Ｅ、４９Ｆと切り込み５０で囲まれる部分５２Ａ、並びに第２折れ罫線４９Ｃ、４９Ｄと切り込み５０、および第２折れ罫線４９Ｇ、４９Ｈと切り込み５０で囲まれる部分５２Ｂは、溝部側壁２３となる。また、第２折れ罫線４９Ｂ、４９Ｃと切り込み５０、および第２折れ罫線４９Ｆ、４９Ｇと切り込み５０で囲まれる部分５２Ｃは、溝部底板２４となる。
【００３６】
４本の第１折れ罫線４８Ａ〜４８Ｄのうちの１本である第１折れ罫線４８Ａと、８本の第２折れ罫線４９Ａ〜４９Ｈのうちの１本である、第２側板部３９側の第２折れ罫線４９Ａとは、同一直線上に設けられている。また、第１折れ罫線４８Ｄと第１側板部３８側の第２折れ罫線４９Ｅも、同一直線上に設けられている。これにより、第１折れ罫線４８Ａ、４８Ｄで形成される収納部側壁１９の上辺２５と、第２折れ罫線４９Ａ、４９Ｅで形成される溝部側壁２３の上辺２６Ａとが、シート３５を梱包材１０に組み立てた場合に同一直線上に設けられる。
【００３７】
上板部３６と第１側板部３８の部分を拡大した図４において、第１側板部３８のＸ方向の幅Ｄ２は、シート３５を梱包材１０に組み立てた場合の上板１２と底板１３との距離、すなわち梱包材１０のＺ方向の高さである。部分５２Ａ、５２ＢのＸ方向の幅Ｄ３は、シート３５を梱包材１０に組み立てた場合の溝部１８のＺ方向の深さ（溝部側壁２３のＺ方向の高さ）である。部分５１Ａ、５１ＢのＸ方向の幅Ｄ４は、シート３５を梱包材１０に組み立てた場合の収納部１７のＺ方向の深さ（収納部側壁１９のＺ方向の高さ）である。
【００３８】
各幅Ｄ２、Ｄ３、Ｄ４の間には、以下の大小関係が成り立つ。
Ｄ２＞Ｄ３＞Ｄ４
これにより、シート３５を梱包材１０に組み立てた場合に、底板１３、収納部底板２０、溝部底板２４の位置関係が、上から収納部底板２０、溝部底板２４、底板１３の順となる。また、Ｄ３−Ｄ４は、シート３５を梱包材１０に組み立てた場合に、収納部１７と溝部１８の間に設けられる段差Δである。
【００３９】
次に、上記構成による作用を説明する。シート３５を梱包材１０に組み立てる際には、折れ罫線４１〜４４、４６、第１折れ罫線４８Ａ〜４８Ｄ、第２折れ罫線４９Ａ〜４９Ｈにしたがってシート３５が折り曲げられる。このとき、図３で示したように、第１折れ罫線４８Ａと第２折れ罫線４９Ａ、並びに第１折れ罫線４８Ｄと第２折れ罫線４９Ｅが同一直線上に設けられているので、これらは１本の折れ罫線として同時に折り曲げられる。このため、第１折れ罫線４８Ａ〜４８Ｄと第２折れ罫線４９Ａ〜４９Ｈは計１２本あるが、収納部１７および溝部１８を形成するためにシート３５を折り曲げる回数は１０回と２本分減る。
【００４０】
ここで、図５に示す比較例の梱包材６０を考える。梱包材６０は、特許文献１に記載の梱包材と同様に、収納部６１の両端の中央から端部に延びた２つの溝部６２を有している。梱包材１０と異なる点は、梱包材１０は、２つの溝部１８の位置がＸ方向にずれているのに対して、梱包材６０は、２つの溝部６２のＸ方向の位置がいずれも収納部６１の両端の中央と一致している点である。梱包材６０のその他の基本的な構造は梱包材１０と同じである。
【００４１】
図６は、図５の梱包材６０の元となるシート６５の上板部３６と第１側板部３８の部分を拡大した図である。この場合、上板部３６には、シート３５と同様に、収納部６１を形成するための第１折れ罫線６６Ａ〜６６Ｄと、溝部６２を形成するための第２折れ罫線６７Ａ〜６７Ｈとが設けられるが、これらは１つとして同一直線上に設けられておらず、全て別々の位置に設けられている。このため、収納部６１および溝部６２を形成するためにシート６５を折り曲げる回数は、第１折れ罫線６６Ａ〜６６Ｄおよび第２折れ罫線６７Ａ〜６７Ｈの本数分、すなわち１２回となる。
【００４２】
以上のことから明らかなように、梱包材１０によれば、第１折れ罫線４８Ａと第２折れ罫線４９Ａ、並びに第１折れ罫線４８Ｄと第２折れ罫線４９Ｅが同一直線上に設けられているので、第１折れ罫線６６Ａ〜６６Ｄおよび第２折れ罫線６７Ａ〜６７Ｈが全て別々の位置に設けられている梱包材６０と比べて折り曲げ回数が減り、組み立てに手間が掛からない。
【００４３】
また、梱包材６０では、第１折れ罫線６６Ａ〜６６Ｄおよび第２折れ罫線６７Ａ〜６７Ｈが全て別々の位置に設けられているので、収納部６１および溝部６２を成形する際に、例えば第１折れ罫線６６Ａ、６６Ｄの両端部分、もしくは第２折れ罫線６７Ａ、６７Ｄ、６７Ｅ、６７Ｈの切り込み５０側の端部分等の、折り曲げる必要のない箇所に負荷が掛って皺や破れが生じやすい。対して、梱包材１０は、第１折れ罫線４８Ａと第２折れ罫線４９Ａ、並びに第１折れ罫線４８Ｄと第２折れ罫線４９Ｅが同一直線上に設けられていることで、折り曲げる必要のない箇所にまで負荷が掛かることが少なくなり、収納部１７および溝部１８を成形する際に皺や破れが生じにくい。したがって、梱包材１０は、手間を掛けずに型崩れすることなく組み立てることが可能である。
【００４４】
図３のシート３５の各折れ罫線が折り曲げられて収納部１７、溝部１８等の各部が成形された後、差込片４５が切り込み４７に差し込まれて、梱包材１０の組み立てが完了する。梱包材１０の組み立て後、製品１１が収納部１７に収納され、梱包材１０が外箱に収容されて出荷される。製品１１の購入者は、外箱から製品１１が収納された梱包材１０を取り出す。そして、溝部１８に指等を挿入して収納部１７から製品１１を取り出し、製品１１を使用する。
【００４５】
溝部１８が設けられていることで、製品１１を収納部１７から取り出しやすい。さらに、収納部１７を挟んだ位置に溝部１８が２つ設けられているので、収納部１７を挟んだ両方向から製品１１を把持する指等を挿入することができ、左右両方の利き手に対応することができる。また、中空の梱包材１０がつぶれないように支える梁として機能する溝部１８が収納部１７を挟んだ両側に張り出すので、より梱包材１０の緩衝性能を高めることができる。
【００４６】
２つの溝部１８は同じ幅Ｄ１を有し、また収納部１７の中心である点Ｃを対称点として点対称の位置に配されているので、シート３５の作製が容易であり、かつ緩衝性能のバランスがよい。
【００４７】
第１折れ罫線４８Ａ、４８Ｄは、収納部側壁１９を構成する辺のうちの上辺２５を形成するための線であり、第２折れ罫線４９Ａ、４９Ｅは、溝部側壁２３を構成する辺のうちの上辺２６Ａを形成するための線である。上辺２５、２６Ａは梱包材１０の表面に露呈しているため、収納部側壁１９の下辺２７および溝部側壁２３の下辺２８よりも人目につく。したがって、上辺２５を形成するための第１折れ罫線４８Ａ、４８Ｄと上辺２６Ａを形成するための第２折れ罫線４９Ａ、４９Ｅとを同一直線上に設ければ、人目につく上辺２５と上辺２６Ａの周辺に余計な負荷が掛らず皺や破れが生じにくくなる。したがって梱包材１０の美観を保つことができる。
【００４８】
梱包材１０は、底板１３の上に、収納部底板２０および溝部底板２４が配置される多重床構造をしているので、仮に輸送時等の衝撃で収納部１７や溝部１８が型崩れしたとしても、底板１３で収納部底板２０および溝部底板２４が下支えされるため、製品１１の破損等の致命的な事態を極力避けることができる。
【００４９】
また、収納部底板２０が溝部底板２４よりも高い位置にあり、収納部１７と溝部１８の間に段差Δが設けられているので、溝部１８に挿入した指等を、収納部底板２０と接する製品１１の裏面に掛けることができ、より簡単に収納部１７から製品１１を取り出すことができる。
【００５０】
上板１２側から平面視した場合に収納部１７が矩形状をしているので、シート３５の作製が容易である。
【００５１】
[第２実施形態]
図７に示す第２実施形態では、溝部１８のＸ方向の幅Ｄ１を、収納部１７のＸ方向の幅Ｄ５で規定する。
【００５２】
図７において、梱包材７５は、梱包材１０と同様に、収納部７６と、収納部７６を挟んだ位置に２つ設けられた溝部７７（一方が第１溝部、他方が第２溝部に相当）とを備えている。収納部７６のＸ方向の幅Ｄ５およびＹ方向の長さＬ２は同じである。つまり、収納部７６は、上面側から平面視した場合の形状が正方形状をしている。収納部７６は、上記第１実施形態の収納部１７と同様に、連通部７８およびストッパ部７９を有する。
【００５３】
この場合、２つの溝部７７のＸ方向の幅Ｄ１は、収納部７６のＸ方向の幅Ｄ５の半分以下である。これを式で表すと以下となる。
Ｄ１≦（Ｄ５）／２
【００５４】
溝部７７のＸ方向の幅Ｄ１を収納部７６のＸ方向の幅Ｄ５の半分以下とすることで、連通部７８よりもストッパ部７９の幅のほうが広くなる。したがって、ストッパ部７９で製品１１のＹ方向への移動をより確実に規制することができる。
【００５５】
第２実施形態は、破線で示すように球状または円柱状の製品８０が収納部７６に収納される場合により効果を発揮する。というのは、球状または円柱状の製品８０の場合、上記第１実施形態の直方体状の製品１１と異なり、２つのストッパ部７９と対面する箇所は、収納部７６のＸ方向の幅Ｄ５の半分に該当する箇所Ｐの２箇所のみしかない。このため、図８に示すように、溝部７７のＸ方向の幅Ｄ１が、反対に収納部７６のＸ方向の幅Ｄ５の半分よりも大きい場合（Ｄ１＞（Ｄ５）／２）は、箇所Ｐがストッパ部７９ではなく連通部７８と対面するため、製品８０がＹ方向に移動してしまう。しかし、第２実施形態では、溝部７７のＸ方向の幅Ｄ１を収納部７６のＸ方向の幅Ｄ５の半分以下とするので、球状または円柱状の製品８０であっても、ストッパ部７９でＹ方向への移動を規制することができる。
【００５６】
図９〜図１１には、本発明の梱包材の変形例を示す。図９に示す梱包材８５は、収納部８６と、収納部８６の片側に配された１つの溝部８７とを備える。図１０に示す梱包材９０は、収納部９１と、収納部９１の四隅から延設された４つの溝部９２とを備える。このように、第１折れ罫線のうちの少なくとも１本と第２折れ罫線のうちの少なくとも１本とが、同一直線上に設けられているのであれば、溝部は収納部を挟んだ位置に２つ設けられていなくともよく、逆に２つ以上設けられていてもよい。例えば図１０に示す梱包材９０おいて上側に並んだ２つの溝部がない構成でもよい。ただし、上側の溝部と下側の溝部の数に相違がある場合は、梱包材をシートに展開したときの上側の寸法と下側の寸法に差が生じてしまう。この寸法差を吸収するため、差込片および切り込みの位置を、上記第１実施形態の第２側板部ではなく、上板部と第２側板部を隔てる折れ罫線の部分や溝部の第２折れ罫線の部分等に設け、かつ差込片や溝部の展開状態の形状を工夫する必要がある。
【００５７】
図１１に示す梱包材９５は、収納部９６と、収納部９６を挟んだ位置に設けられた２つの溝部９７Ａ、９７Ｂとを備える。２つの溝部９７Ａ、９７Ｂは対向する位置関係にあり、また、溝部９７Ａは溝部９７Ｂよりも幅が狭い。このように、第１折れ罫線のうちの少なくとも１本と第２折れ罫線のうちの少なくとも１本とが、同一直線上に設けられているのであれば、２つの溝部は同じ幅でなくてもよく、また、収納部の中心を対称点として点対称の位置に配されていなくてもよい。
【００５８】
同一直線上に設ける第１折れ罫線および第２折れ罫線は、上記第１実施形態の収納部側壁１９の上辺２５を形成するための線および溝部側壁２３の上辺２６Ａを形成するための線に限らない。上辺２５、２６Ａを形成するための線に代えて、あるいは加えて、下辺２７、２８を形成するための線、すなわち第１折れ罫線４８Ｂと第２折れ罫線４９Ｂ、第１折れ罫線４８Ｃと第２折れ罫線４９Ｆを同一直線上に設けてもよい。この場合、収納部底板２０と溝部底板２４とは同じ高さとなり、収納部１７と溝部１８の間には段差Δは設けられない。
【００５９】
上板１２側から平面視した場合の収納部１７の形状は矩形に限らない。例えば一部に曲面を有する収納部でもよい。
【００６０】
また、収納部１７を挟んだ位置に設けられた２つの溝部１８のＹ方向の長さＬ１は同じでなくともよい。収納部１７の中心Ｃを上板１２の中心からずらして配置した場合は、必然的に２つの溝部１８のＹ方向の長さＬ１が異なることになる。さらに、複数枚のシートを組み立てて１つの梱包材を形成してもよい。
【００６１】
本発明は、上記各実施形態に限らず、本発明の要旨を逸脱しない限り種々の構成を採り得ることはもちろんである。
【符号の説明】
【００６２】
１０、６０、７５、８５、９０、９５  梱包材
１１、８０  製品
１２  上板
１３  底板
１４  第１側板
１５  第２側板
１６  内側側板
１７、６１、７６、８６、９１、９６  収納部
１８、６２、７７、８７、９２、９７Ａ、９７Ｂ  溝部
１９  収納部側壁
２０  収納部底板
２１、７８  連通部
２２、７９  ストッパ部
２３  溝部側壁
２４  溝部底板
２５  収納部側壁の上辺
２６Ａ、２６Ｂ  溝部側壁の上辺
２７  収納部側壁の下辺
２８  溝部側壁の下辺
３５、６５  シート
３６  上板部
３７  底板部
３８  第１側板部
３９  第２側板部
４０  内側側板部
４１〜４４、４６  折れ罫線
４５  差込片
４７、５０  切り込み
４８Ａ〜４８Ｄ、６６Ａ〜６６Ｄ  第１折れ罫線
４９Ａ〜４９Ｈ、６７Ａ〜６７Ｈ  第２折れ罫線
５１Ａ、５１Ｂ  収納部側壁となる部分
５１Ｃ  収納部底板となる部分
５２Ａ、５２Ｂ  溝部側壁となる部分
５２Ｃ  溝部底板となる部分
Δ  段差
Ｃ  収納部の中心
Ｌ１  溝部の長さ
Ｄ１  溝部の幅
Ｄ２  側板部の幅
Ｄ３  溝部側壁となる部分の幅（溝部の深さ）
Ｄ４  収納部側壁となる部分の幅（収納部の深さ）
Ｄ５  収納部の幅
Ｌ２  収納部の長さ
Ｐ  収納部の幅の半分に該当する製品の箇所
【図１】
2018070212.tif 000003
【図２】
2018070212.tif 000004
【図３】
2018070212.tif 000005
【図４】
2018070212.tif 000006
【図５】
2018070212.tif 000007
【図６】
2018070212.tif 000008
【図７】
2018070212.tif 000009
【図８】
2018070212.tif 000010
【図９】
2018070212.tif 000011
【図１０】
2018070212.tif 000012
【図１１】
2018070212.tif 000013